(57)【要約】【課題】  できるだけ利用者に手間を要求せずに、利用者が望むとおりの出力結果が得られる情報のみが記憶されて公開される情報記憶装置等を提供する。【解決手段】  ＦＡＸ送信がなされた後にＦＡＸ画像を表示させ、ＦＡＸ画像を保存するか否かの問い合わせを行う。データベースへ登録する旨の操作がなされた場合（登録コマンドボタン１３６が押下された場合）にはＦＡＸ画像をデーベースへ登録し、ＦＡＸ画像を破棄する旨の操作がなされた場合（破棄コマンドボタン１３７が押下された場合）には、ＦＡＸ画像を破棄する。このように、登録する画像を確認した後に、データベースへ登録するか否かを決定するため、不適切な画像がデータベースへ登録されることを防止することができる。【選択図】  図１０
2006072640.tif 000002
【特許請求の範囲】
【請求項１】
入力した情報を記憶して後から出力することが可能な記憶機能を有する情報記憶装置であって、
情報を入力する入力手段と、
前記入力手段が入力した前記情報を出力する出力手段と、
前記入力手段が入力した前記情報を記憶する記憶手段と、
前記入力手段が入力した前記情報を前記記憶手段に記憶させるか否かの問い合わせを出力する記憶問合手段と、
前記記憶問合手段が出力する前記問い合わせに対する利用者からの指示を受け付ける記憶問い合わせ結果受付手段と、
前記入力手段が情報を入力すると、その情報を前記出力手段に出力させ、その後、前記記憶問合手段に前記問い合わせを実行させ、前記記憶問い合わせ結果受付手段が受け付けた前記指示が前記記憶手段に前記情報を記憶させる旨の指示であった場合は前記入力手段が入力した前記情報を前記記憶手段に記憶させ、前記記憶問い合わせ結果受付手段が受け付けた前記指示が前記記憶手段に前記情報を記憶させない旨の指示であった場合は前記入力手段が入力した前記情報を前記記憶手段に記憶させない記憶制御手段と、
を備えることを特徴とする情報記憶装置。
【請求項２】
請求項１に記載の情報記憶装置において、
前記記憶問合手段が出力する問い合わせの前記記憶には、通常記憶と保留記憶とがあり、
前記記憶制御手段は、前記記憶問い合わせ結果受付手段が通常記憶の旨の指示を受け付けた場合、前記入力手段が入力した前記情報を前記記憶手段に通常記憶情報として記憶させ、前記記憶問い合わせ結果受付手段が保留記憶の旨の指示を受け付けた場合、前記入力手段が入力した前記情報を前記記憶手段に保留記憶情報として記憶させること
を特徴とする情報記憶装置。
【請求項３】
請求項２に記載の情報記憶装置において、
さらに、
前記記憶手段に保留記憶情報として記憶された特定の前記情報を、通常記憶情報に変更するか前記記憶手段から削除するかの問い合わせを出力する変更削除問合手段と、
前記変更削除問合手段が出力する前記問い合わせに対する利用者からの指示を受け付ける変更削除問い合わせ結果受付手段と、
を備え、
前記記憶制御手段は、前記変更削除問い合わせ結果受付手段が変更の旨の指示を受け付けた場合、前記記憶手段が保留記憶情報として記憶する特定の前記情報を通常記憶情報に変更させ、前記変更削除問い合わせ結果受付手段が削除の旨の指示を受け付けた場合、前記記憶手段が保留記憶情報として記憶する特定の前記情報を前記記憶手段から削除させること
を特徴とする情報記憶装置。
【請求項４】
請求項３に記載の情報記憶装置において、
さらに、前記記憶手段が保留記憶情報として記憶する前記情報の特定の情報を一覧として出力する保留記憶情報出力手段を備えること
を特徴とする情報記憶装置。
【請求項５】
請求項２〜請求項４の何れかに記載の情報記憶装置において、
前記記憶制御手段は、前記情報が保留記憶情報として記憶された後、所定の期間を経過した場合、予め定められた設定に基づいて、当該情報を通常記憶情報に変更、又は、当該情報を前記記憶手段から削除させること
を特徴とする情報記憶装置。
【請求項６】
請求項１〜請求項５の何れかに記載の情報記憶装置において、
さらに、
前記入力手段が前記情報を入力する際、前記記憶問合手段に前記問い合わせを実行させるか否かの問い合わせを出力する事前問合手段と、
前記事前問合手段が出力する前記問い合わせに対する利用者からの指示を受け付ける事前問合結果受付手段と、
を備え、
前記記憶制御手段は、前記事前問合結果受付手段が、前記問い合わせを実行させる旨の指示を利用者から受け付けた場合のみ、前記記憶問合手段に前記問い合わせを実行させ、後続の処理を実行すること
を特徴とする情報記憶装置。
【請求項７】
請求項１〜請求項６の何れかに記載の情報記憶装置において、
当該情報記憶装置は、前記入力手段及び前記出力手段の少なくとも一方を複数備えること
を特徴とする情報記憶装置。
【請求項８】
請求項１〜請求項７の何れかに記載の情報記憶装置において、
前記出力手段の一つは、情報を印刷媒体に印刷するものであること
を特徴とする情報記憶装置。
【請求項９】
請求項１〜請求項８の何れかに記載の情報記憶装置において、
さらに、通信ネットワークに接続され、その通信ネットワークを介して通信を行う通信手段と、
前記通信手段を介して前記ネットワーク上の端末からの要求指令を受け付けると、前記記憶手段が記憶する前記情報を前記通信手段を介して前記端末へ送信する送信制御手段と、
を備えることを特徴とする情報記憶装置。
【請求項１０】
情報を入力し、その入力した情報を出力し、その後、その入力した情報を記憶するか否かを利用者に問い合わせ、記憶する旨の指示を利用者から受け付けた場合は入力した前記情報を記憶手段に記憶し、記憶しない旨の指示を利用者から受け付けた場合は入力した前記情報を前記記憶手段に記憶しないことを特徴とする情報記憶方法。
【請求項１１】
請求項１０に記載の情報記憶方法において、
前記記憶には、通常記憶と保留記憶とがあり、問い合わせ結果が通常記憶の旨の指示であった場合、入力した前記情報を通常記憶情報として前記記憶手段に記憶し、問い合わせ結果が保留記憶の旨の指示であった場合、入力した前記情報を保留記憶情報として前記記憶手段に記憶することを特徴とする情報記憶方法。
【請求項１２】
請求項１１に記載の情報記憶方法において、
さらに、保留記憶情報として記憶した前記情報について、特定の前記情報を通常記憶情報に変更するか削除するかを利用者に問い合わせ、変更の旨の指示を利用者から受け付けた場合は、保留記憶情報として前記記憶手段に記憶している特定の前記情報を通常記憶情報に変更し、削除の旨の指示を利用者から受け付けた場合は、保留記憶情報として記憶している特定の前記情報を前記記憶手段から削除することを特徴とする情報記憶方法。
【請求項１３】
請求項１１又は請求項１２に記載の情報記憶方法において、
さらに、保留記憶情報として記憶した前記情報について、その情報が保留記憶情報として記憶された後、所定の期間を経過した場合、予め定められた設定に基づいて、当該情報を通常記憶情報に変更、又は、当該情報を前記記憶手段から削除することを特徴とする情報記憶方法。
【請求項１４】
請求項１０〜請求項１３の何れかに記載の情報記憶方法において、
情報を入力する際、その情報を記憶するか否かの前記問い合わせを実行するか否かを利用者に問い合わせ、前記問い合わせを実行する旨の指示を利用者から受け付けた場合のみ、前記問い合わせを実行し、後続の処理を実行することを特徴とする情報記憶方法。
【請求項１５】
請求項１０〜請求項１３の何れかに記載の情報記憶方法において、
さらに、通信ネットワーク上の端末から要求指令を受け付けると、前記記憶手段に記憶しておいた前記情報をその要求端末へ送信することを特徴とする情報記憶方法。
【発明の詳細な説明】
【技術分野】
【０００１】
本発明は、情報を入力する手段と情報を出力する手段とを複数備え、さらに入力した情報を記憶して後から出力することが可能な記憶機能を有する情報記憶装置等に関する。
【背景技術】
【０００２】
従来、例えば特許文献１（具体的には第２の実施形態）に記載の複合機のように、プリント処理やコピー処理と同等の誰にでもできる単純な操作で自動的に処理対象の文章（図表等も含む）のＷｅｂページを作成し、公開および提供することを可能にする複合機が知られている。この複合機は、PostScriptのようなページ記述言語によって記述された文章や、スキャナによって読み取った画像を、HTMLファイルやJPEGファイル等に変換してハードディスクに記憶させておく。そして、ネットワーク上のパーソナルコンピュータから閲覧要求があった際に、ハードディスクに記憶させておいたHTMLファイルやJPEGファイル等をネットワークを介して要求があったパーソナルコンピュータに送信する。
【０００３】
したがって、このような複合機によれば、利用者がプリント処理やコピー処理を行う際に複雑な操作を行うことなく自動的にＷｅｂページが作成されてネットワーク上のパーソナルコンピュータから閲覧可能になるため、非常に容易に情報の公開を実現できる。
【特許文献１】特開平１１−１９５１２８号公報
【発明の開示】
【発明が解決しようとする課題】
【０００４】
ところが、特許文献１に記載の複合機の場合は、プリント処理やコピー処理を実行させるか、それとも処理対象の文章をＷｅｂページとしてハードディスクに記憶させるかを、利用者が予め決めて操作指示を出す必要がある。このため、最初から処理対象の文章をＷｅｂページとしてハードディスクに記憶させる指示を利用者が出した場合は、たとえ利用者が望むとおりのプリント結果やコピー結果が得られないようなとき（例えば印刷対象が印刷用紙内に収まりきらないとき、文字がかすれて読めないとき、図形が潰れて見えないとき等）でも、その望まない状態でハードディスクにＷｅｂページとして処理対象の文章が記憶されてしまうおそれがある。このようなことが起こると、利用者がＷｅｂページを確認するまでその望まない状態であることを知るすべがなく、利用者が気づくまでその望まない状態のまま文章が公開されることとなる。また、利用者が気づいた後は、その望まない状態のＷｅｂページをハードディスクから削除する操作を行う必要があり、利用者にとって手間である。
【０００５】
このような問題は、特許文献１に記載のような複合機に限らず、情報を入力する手段と情報を出力する手段とを複数備え、さらに入力した情報を記憶して後から出力することが可能な記憶機能を有する情報記憶装置、全てに言えることである。
【０００６】
本発明は上述したような問題に鑑みなされたものであり、できるだけ利用者に手間を要求せずに、利用者が望むとおりの出力結果が得られる情報のみが記憶されて公開される情報記憶装置等を提供することを目的とする。
【課題を解決するための手段】
【０００７】
上記課題を解決するためになされた請求項１に記載の情報記憶装置は、入力した情報を記憶して後から出力することが可能な記憶機能を有する情報記憶装置であって、情報を入力する入力手段と、入力手段が入力した情報を出力する出力手段と、入力手段が入力した情報を記憶する記憶手段と、入力手段が入力した情報を記憶手段に記憶させるか否かの問い合わせを出力する記憶問合手段と、記憶問合手段が出力する問い合わせに対する利用者からの指示を受け付ける記憶問い合わせ結果受付手段と、記憶制御手段とを備える。このうち記憶制御手段は、入力手段が情報を入力すると、その情報を出力手段に出力させ、その後、記憶問合手段に問い合わせを実行させ、記憶問い合わせ結果受付手段が受け付けた指示が記憶手段に情報を記憶させる旨の指示であった場合は入力手段が入力した情報を記憶手段に記憶させ、記憶問い合わせ結果受付手段が受け付けた指示が記憶手段に情報を記憶させない旨の指示であった場合は入力手段が入力した情報を記憶手段に記憶させない。
【０００８】
なお、記憶問合手段に問い合わせを実行させるタイミングは、出力手段が情報の出力を完全に終了した後であってもよいし、出力手段が情報を出力している途中でもよい。要は、出力結果を利用者が見て、記憶手段に記憶させる価値のある情報であるか否かを判断可能な程度出力されていれば足りる。
【０００９】
このような情報記憶装置によれば、利用者が、出力された情報を確認した後、その情報を情報記憶装置に記憶させるか否かの判断をしてその指示を出すことができる。このため、従来のように、利用者が望まない状態のものが記憶され、公開可能になってしまうことを防止することができる。また、後から記憶された情報を確認して、削除操作を行う必要もなくなる。
【００１０】
ところで、記憶問合手段が問い合わせる具体的内容は、記憶手段に記憶させるか記憶させないかという問い合わせでもよいが、その記憶というものが、通常記憶であるのか保留記憶であるのかも含めて問い合わせるようになっていてもよい。そして、記憶制御手段は、記憶問い合わせ結果受付手段が通常記憶の旨の指示を受け付けた場合、入力手段が入力した情報を記憶手段に通常記憶情報として記憶させ、記憶問い合わせ結果受付手段が保留記憶の旨の指示を受け付けた場合、入力手段が入力した情報を記憶手段に保留記憶情報として記憶させるようになっていてもよい（請求項２）。なお、ここで言う通常記憶、保留記憶というのは、形式的に取り決めた記憶属性であり、例えば、通常記憶されたもののみ公開可能とし、保留記憶されたものは非公開とするというように決められたものであるとよい。
【００１１】
このような情報記憶装置であれば、通常記憶情報として記憶された情報と保留記憶情報として記憶された情報とで区別して使い分けることが可能になる。
また、保留記憶情報として記憶した情報について、利用者の判断で、後から通常記憶情報に変更できたり、記憶手段から削除できるようになっているとよい。つまり、情報記憶装置を、さらに、記憶手段に保留記憶情報として記憶された特定の情報を、通常記憶情報に変更するか記憶手段から削除するかの問い合わせを出力する変更削除問合手段と、変更削除問合手段が出力する問い合わせに対する利用者からの指示を受け付ける変更削除問い合わせ結果受付手段と、を備えるように構成する。そして、記憶制御手段は、変更削除問い合わせ結果受付手段が変更の旨の指示を受け付けた場合、記憶手段が保留記憶情報として記憶する特定の情報を通常記憶情報に変更させ、変更削除問い合わせ結果受付手段が削除の旨の指示を受け付けた場合、記憶手段が保留記憶情報として記憶する特定の情報を記憶手段から削除させるようになっているとよい（請求項３）。
【００１２】
このような情報記憶装置であれば、利用者は情報を保留記憶情報として記憶させるよう指示すれば、後からその情報を通常記憶情報に変更したり削除したりすることができ、決断を先延ばしにすることができる。
【００１３】
なお、通常記憶情報に変更したり記憶手段が削除する対象となる保留記憶情報については一覧として出力されるようになっているとよい。つまり、情報記憶装置は、さらに、記憶手段が保留記憶情報として記憶する情報の特定の情報を一覧として出力する保留記憶情報出力手段を備えるようになっているとよい（請求項４）。
【００１４】
このような情報記憶装置であれば、利用者は保留記憶情報として記憶している情報を一覧形式で確認することができるため、通常記憶情報に変更したり削除したりする対象の情報を容易に選択することができる。
【００１５】
また、保留記憶情報として記憶された情報は、一定期間経過後に自動的に処理されるようになっていてもよい。つまり、記憶制御手段は、情報が保留記憶情報として記憶された後、所定の期間を経過した場合、予め定められた設定に基づいて、当該情報を通常記憶情報に変更、又は、当該情報を記憶手段から削除させるようになっていてもよい（請求項５）。
【００１６】
このようになっていれば、利用者が保留記憶情報のままの情報の存在を忘れ、例えば公開されないまま、長期間、情報が記憶されたままになるといった状態を防止することができる。
【００１７】
ところで、入力手段が入力した情報全てに対し、記憶制御手段が記憶問合手段に問い合わせを実行させるようになっていてもよいが、予めその問い合わせの実行可否を利用者に問い合わせるようになっていてもよい。つまり、情報記憶装置は、さらに、入力手段が情報を入力する際、記憶問合手段に問い合わせを実行させるか否かの問い合わせを出力する事前問合手段と、事前問合手段が出力する問い合わせに対する利用者からの指示を受け付ける事前問合結果受付手段と、を備え、記憶制御手段は、事前問合結果受付手段が、問い合わせを実行させる旨の指示を利用者から受け付けた場合のみ、記憶問合手段に問い合わせを実行させ、後続の処理を実行するようになっているとよい（請求項６）。なお、ここで言う「後続の処理」というのは、前述した、記憶問い合わせ結果受付手段が受け付けた指示が記憶手段に情報を記憶させる旨の指示であった場合は入力手段が入力した情報を記憶手段に記憶させ、記憶問い合わせ結果受付手段が受け付けた指示が記憶手段に情報を記憶させない旨の指示であった場合は入力手段が入力した情報を記憶手段に記憶させないという処理である。
【００１８】
このような情報記憶装置であれば、利用者は、情報記憶装置に情報を入力させる前から情報記憶装置に記憶させる必要のないものとして予めわかっている場合に、出力後に出力される記憶手段へ記憶するか否かの問い合わせに対して回答を行う手間を省くことができる。
【００１９】
また、情報記憶装置は入力手段及び出力手段を一つずつ備えるようになっていてもよいが、入力手段及び出力手段の少なくとも一方を複数備えていてもよい（請求項７）。
このような情報記憶装置によれば、入力手段が複数ある場合はそれぞれの入力手段の特性に応じて情報を入力することができるため、より適切に情報を入力することができ、入力することができる情報の種類も増える。また、出力手段が複数ある場合は、利用者は、各情報に適した出力手段によって出力された結果を確認することができ、情報記憶装置に情報を記憶させるか否かの判断を適切に行うことができる。
【００２０】
なお、出力手段の具体例としては様々なもの（例えば、液晶ディスプレイのような情報を画像として表示させることができるものや、ネットワークインターフェースのようなネットワーク上の端末に情報を送信させるもの）が考えられるが、特に情報を印刷媒体に印刷させるものであるとよい（請求項８）。
【００２１】
このような情報記憶装置であれば、利用者は実際に印刷媒体に印刷されたものを確認することができるため、後から情報記憶装置に記憶されている情報を取り出して印刷した際にも問題の無い状態で情報記憶装置に情報を記憶させることができる。
【００２２】
また、情報記憶装置は、さらに、通信手段（通信ネットワークに接続され、その通信ネットワークを介して通信を行うもの）と、送信制御手段（通信手段を介してネットワーク上の端末からの要求指令を受け付けると、記憶手段が記憶する情報を通信手段を介して端末へ送信するもの）を備えていてもよい（請求項９）。
【００２３】
このような情報記憶装置（例えば、従来の複合機のような、プリント処理等と同等の誰にでもできる単純な操作で自動的に処理対象の文章のＷｅｂページが作成されて公開される仕組みを持っているもの）であっても、利用者が気づくまで望まない状態の文章が公開され続けてしまうことなく、利用者が意図した状態でＷｅｂページを公開することができる。また、このような情報記憶装置であれば、記憶した情報を端末からの要求指令に基づいて端末へ配信することができるため、端末の利用者は取得した情報を閲覧したり加工したりすることができ、記憶手段に記憶させた情報を手軽に有効活用することができる。なお、具体的には、例えば、情報をＨＴＭＬ形式で記憶手段に記憶させておき、端末からの要求にしたがって情報をＨＴＴＰプロトコルで送信するように構成するとよい。
【００２４】
上記課題を解決するためになされた請求項１０に記載の情報記憶方法は、情報を入力し、その入力した情報を出力し、その後、その入力した情報を記憶するか否かを利用者に問い合わせ、記憶する旨の指示を利用者から受け付けた場合は入力した情報を記憶手段に記憶し、記憶しない旨の指示を利用者から受け付けた場合は入力した情報を記憶手段に記憶しないことを特徴とする情報記憶方法である。
【００２５】
このような情報記憶方法によれば、利用者が、出力された情報を確認した後、その情報を記憶させるか否かの判断をしてその指示を出すことができる。このため、従来のように、利用者が望まない状態のものが記憶され、公開可能になってしまうことを防止することができる。また、後から記憶された情報を確認して、削除操作を行う必要もなくなる。
【００２６】
ところで、記憶には通常記憶と保留記憶とがあり、問い合わせ結果が通常記憶の旨の指示であった場合、入力した情報を通常記憶情報として記憶手段に記憶し、問い合わせ結果が保留記憶の旨の指示であった場合、入力した情報を保留記憶情報として記憶手段に記憶するような情報記憶方法であってもよい（請求項１１）。なお、ここで言う通常記憶、保留記憶というのは、形式的に取り決めた記憶属性であり、例えば、通常記憶されたもののみ公開可能とし、保留記憶されたものは非公開とするというように決められたものであるとよい。
【００２７】
このような情報記憶方法によれば、利用者は通常記憶情報として記憶された情報と保留記憶情報として記憶された情報とで区別して使い分けることが可能になる。
また、保留記憶情報として記憶した情報について、上記一連の処理（入力した情報を出力し、その情報を記憶させるか否か利用者に問い合わせる処理）とは別のタイミングに、特定の情報を通常記憶情報に変更するか削除するかを利用者に問い合わせ、変更の旨の指示を利用者から受け付けた場合は、保留記憶情報として記憶手段に記憶している特定の情報を通常記憶情報に変更し、削除の旨の指示を利用者から受け付けた場合は、保留記憶情報として記憶している特定の情報を記憶手段から削除する処理を有していてもよい（請求項１２）。
【００２８】
このような処理も有する情報記憶方法によれば、利用者は情報を保留記憶情報として記憶させるよう指示すれば、後からその情報を通常記憶情報に変更したり削除したりすることができ、決断を先延ばしにすることができる。
【００２９】
なお、保留記憶情報として記憶した情報は、一定期間経過後に自動的に処理するようになっていてもよい。つまり、保留記憶情報として記憶した情報について、その情報が保留記憶情報として記憶された後、所定の期間を経過した場合、予め定められた設定に基づいて、当該情報を通常記憶情報に変更、又は、当該情報を記憶手段から削除するようになっていてもよい（請求項１３）。
【００３０】
このようになっていれば、利用者が保留記憶情報のままの情報の存在を忘れ、例えば公開されないまま、長期間、情報が記憶されたままになるといった状態を防止することができる。
【００３１】
ところで、入力した情報全てに対し、その情報を記憶するか否かの問い合わせを実行するようになっていてもよいが、情報を入力する際、その情報を記憶するか否かの問い合わせを実行するか否かを利用者に問い合わせ、問い合わせを実行する旨の指示を利用者から受け付けた場合のみ、問い合わせを実行し、後続の処理を実行するようになっていてもよい（請求項１４）。なお、ここで言う「後続の処理」というのは、前述した、記憶する旨の指示を利用者から受け付けた場合は入力した情報を記憶手段に記憶し、記憶しない旨の指示を利用者から受け付けた場合は入力した情報を記憶手段に記憶しないという処理である。
【００３２】
このような情報記憶方法によれば、利用者は、情報を入力させる前からその情報は記憶させる必要のないものとして予めわかっている場合に、出力後に出力される記憶するか否かの問い合わせに対して回答を行う手間を省くことができる。
【００３３】
また、上記一連の処理（入力した情報を出力し、その情報を記憶させるか否か利用者に問い合わせる処理）とは別のタイミングに、通信ネットワーク上の端末から要求指令を受け付けると、記憶手段に記憶しておいた情報をその要求端末へ送信する処理を有していてもよい。
【００３４】
このような情報記憶方法であれば、望まない状態の文章が利用者が気づくまで公開され続けてしまうことなく、利用者が意図した状態で例えばＷｅｂページを公開させながら、記憶した情報を端末からの要求指令に基づいて端末へ配信する処理も有しているため、端末の利用者は情報を閲覧したり加工したりすることができ、記憶手段に記憶させた情報を手軽に有効活用することができる。
【発明を実施するための最良の形態】
【００３５】
以下、本発明が適用された実施形態について図面を用いて説明する。尚、本発明の実施の形態は、下記の実施形態に何ら限定されることはなく、本発明の技術的範囲に属する限り種々の形態を採りうる。
【００３６】
図１は、複合機１１（本発明の情報記憶装置に相当）の概略構成を示すブロック図である。複合機１１は、ＬＡＮ通信部１３，ＷＡＮ通信部１５，ＦＡＸ通信部１７，ＦＡＸ符号部１９，ＦＡＸ復号部２１，ＰＣ通信部２３，記憶媒体アクセス部２５，記録部２７，読取部２９，データ記憶部３１，設定記憶部３３，操作部３５，表示部３７及び制御部３９を備える。
【００３７】
ＬＡＮ通信部１３は、ＬＡＮと接続され、ＬＡＮに接続された他の様々な機器と通信を行う。
ＷＡＮ通信部１５は、ＷＡＮと接続され、ＷＡＮに接続された他の様々な機器と通信を行う。
【００３８】
ＦＡＸ通信部１７は、ＰＳＴＮ（公衆交換電話網）と接続され、ＦＡＸ符号部１９から渡された符号化されたデータをＰＳＴＮに接続された他の機器に送信すると共に、ＰＳＴＮに接続された他の機器から送信されたデータをＦＡＸ復号部２１に渡す。
【００３９】
ＦＡＸ符号部１９は、制御部３９から渡されるデータをファクシミリ規格に準じて符号化し、ＦＡＸ通信部１７に渡す。
ＦＡＸ復号部２１は、ＦＡＸ通信部１７から渡されるファクシミリ規格に準じたデータを復号化して制御部３９が処理可能なデータにし、制御部３９に渡す。
【００４０】
ＰＣ通信部２３は、制御部３９からの指令に基づき、ＵＳＢ規格やＩＥＥＥ１３９４規格等の通信規格を利用してパーソナルコンピュータと通信を行う機能を備える。
記憶媒体アクセス部２５は、制御部３９からの指令に基づきメモリカード（記憶媒体）にアクセスし、メモリカードからデータを読み込んだり、メモリカードにデータを書き込んだりする。
【００４１】
記録部２７は、制御部３９からの指令に基づき、レーザー転写方式、インクジェット方式等の記録方式によって紙媒体に画像を記録する機能を有する。
読取部２９は、制御部３９からの指令に基づき、ＣＣＤ等の読取機能を有する素子により、紙媒体に記録された画像を画像データとして読み取る機能を有する。
【００４２】
データ記憶部３１は、ハードディスクから構成され、制御部３９からの指令に基づいてデータを記憶したり読み出したりする。データ記憶部３１は、入力データの属性データを記憶するコンテンツテーブルと、入力データを記憶するデータテーブルとを備える。例えば、複合機１１がＦＡＸデータを入力した場合には、コンテンツテーブルにはＦＡＸデータの属性に関するデータが記憶され、データテーブルにはＦＡＸデータのデータそのもの（画像データ）が記憶される。
【００４３】
設定記憶部３３は、使用者が操作部３５等を操作することによって複合機１１の動作について設定した設定情報を記憶する記憶部である。フラッシュメモリ等によって構成される。なお、記憶する設定情報の一つとして、機密キーワードデータがある（詳細は後述）。
【００４４】
操作部３５は、表示部３７の表示面と一体に構成されたタッチパネルと、表示部３７の周辺に配置されたメカニカルなキーとから構成され、使用者が様々な指示を入力するためのものである。
【００４５】
表示部３７は、液晶ディスプレイ、有機ＥＬディスプレイ等から構成され、制御部３９からの指令にしたがって、情報を表示させる。
制御部３９は、ＣＰＵ，ＲＯＭ，ＲＡＭ，ＳＲＡＭ，Ｉ／Ｏ及びこれらの構成を接続するバスラインなどからなる周知のマイクロコンピュータを中心に構成されており、ＲＯＭに記憶されたプログラムに基づいて上記各部を統括的に制御して各種処理を実行する。
【００４６】
次に、図２に示す、テーブルのフィールド説明図を用い、データ記憶部３１が記憶するコンテンツテーブル及びデータテーブルの各フィールドについて説明する。
図２（ａ）は、コンテンツテーブルの各フィールドを説明するための説明図である。コンテンツテーブルは、コンテンツＩＤ５１ａ，レコードステータス５１ｂ，日時５１ｃ，利用者５１ｄ，入力元５１ｅ，セキュリティ属性５１ｆ，電子透かし情報５１ｇ，機能種別５１ｈ，機能固有属性５１ｉ及びデータＩＤ５１ｊから構成される。
【００４７】
コンテンツＩＤ５１ａは、レコードを識別するためのＩＤが記録されるフィールドであり、ＩＤはレコードの生成順にしたがって昇順のものが振られるようになっている。
レコードステータス５１ｂは、レコードの状態を示す情報が記録されるフィールドであり、ロック状態（更新不許可状態）、削除による無効状態、保留状態等を示す情報が記録される。
【００４８】
日時５１ｃは、レコードが生成された日時が記録されるフィールドである。
利用者５１ｄは、データを入力した利用者を識別するための情報が記録されるフィールドである。入力した利用者を特定することができない場合は空きフィールドとなる。
【００４９】
入力元５１ｅは、データの入力元を示す情報が記録されるフィールドである。データの入力元としては、ＬＡＮ通信部１３，ＷＡＮ通信部１５，ＦＡＸ通信部１７，ＰＣ通信部２３，記憶媒体アクセス部２５，読取部２９の何れかを特定可能な情報が記録される。なお、ＬＡＮ通信部１３，ＷＡＮ通信部１５，ＦＡＸ通信部１７の場合については、さらにその送信元の情報（ＰＣのＩＰアドレスやＦＡＸの発信元番号等）も記録される。
【００５０】
セキュリティ属性５１ｆは、データの公開情報が記録されるフィールドである。具体的には、「全公開」、「社内公開」、「パートナー公開」、「非公開」の何れかの情報が記録される。
【００５１】
電子透かし情報５１ｇは、複合機１１の製造番号と、日時５１ｃのフィールドに記録された日時とから生成されたコードが記録されるフィールドである。
機能種別５１ｈは、機能の種別が記憶されるフィールドである。ここで言う「機能」というのは、プリント機能、コピー機能、ＦＡＸ送信機能、ＦＡＸ受信機能、ＰＣ−ＦＡＸ送信機能、スキャナ機能、メディアプリント機能、メディア保存機能またはメール転送機能の何れかである。
【００５２】
機能固有属性５１ｉは、機能毎の固有属性（例えばＦＡＸ送信機能であれば、送信したモードや、送信した倍率や、読取時の画像解像度や、レイアウト情報や、モノクロかカラーかの情報や、送信先情報や、送信先の出力可能解像度等）が記録されるフィールドである。
【００５３】
データＩＤ５１ｊは、入力データを識別するためのＩＤが記録されるフィールドである。そのＩＤによってデータテーブルに記憶される入力データを特定することができる。
次に、図２（ｂ）を用いて、入力データを記憶するデータテーブルの各フィールドを説明する。データテーブルは、データＩＤ５３ａ，参照数５３ｂ，データ形式５３ｃ，データサイズ５３ｄ及び実データ５３ｅから構成される。
【００５４】
データＩＤ５３ａは、レコードを識別するためのＩＤが記録されるフィールドであり、上述したコンテンツテーブルのデータＩＤ５１ｊに対応するものである。
参照数５３ｂは、当該レコードを参照しているコンテンツテーブルのレコード数が記録されるフィールドである。
【００５５】
データ形式５３ｃは、入力データの形式が記録されるフィールドである。例えば、印刷データ、ＦＡＸデータ、ＪＰＥＧ、テキスト等の種別が記録される。
データサイズ５３ｄは、入力データのデータサイズが記録されるフィールドである。
【００５６】
実データ５３ｅは、入力データ自体が記録されるフィールドである。
また、複合機１１が有する機能としては次のものがある。プリント機能（ＬＡＮ通信部１３がＬＡＮデータを入力して記録部２７がそのデータを紙媒体に出力する機能），ＰＣ−ＦＡＸ機能（ＬＡＮ通信部１３がＬＡＮからデータを入力してＦＡＸ通信部１７がそのデータをＰＳＴＮに出力する機能），コピー機能（読取部２９が紙媒体からデータを入力して記録部２７がそのデータを紙媒体に出力する機能），ＦＡＸ送信機能（読取部２９が紙媒体からデータを入力してＦＡＸ通信部１７がそのデータをＰＳＴＮに出力する機能），スキャナ機能（読取部２９が紙媒体からデータを入力してＬＡＮ通信部１３がそのデータをＬＡＮに出力する機能），メディア保存機能（読取部２９が紙媒体からデータを入力して記憶媒体アクセス部２５がそのデータを記憶媒体に出力する機能），メディアプリント機能（記憶媒体アクセス部２５が記憶媒体からデータを入力して記録部２７がそのデータを紙媒体に出力する機能），ＦＡＸ受信機能（ＦＡＸ通信部１７がＰＳＴＮからデータを入力し記録部２７がそのデータを紙媒体に出力する機能），メール転送機能（ＬＡＮ通信部１３がＬＡＮからメールデータを入力しＷＡＮ通信部１５がそのデータをＷＡＮに出力する、又は、ＷＡＮ通信部１５がＷＡＮからメールデータを入力しＬＡＮ通信部１３がそのデータをＬＡＮに出力する機能）である。
【００５７】
ここまでで複合機１１の概略構成を説明したが、ここで複合機１１の各部と特許請求の範囲に記載の用語との対応を示す。ＬＡＮ通信部１３，ＷＡＮ通信部１５，ＦＡＸ通信部１７，ＰＣ通信部２３，記憶媒体アクセス部２５及び読取部２９が入力手段に相当し、ＬＡＮ通信部１３，ＷＡＮ通信部１５，ＦＡＸ通信部１７，ＰＣ通信部２３，記憶媒体アクセス部２５、記録部２７及び表示部３７が出力手段に相当し、ＬＡＮ通信部１３，ＷＡＮ通信部１５，ＰＣ通信部２３及び表示部３７が保留記憶情報出力手段，記憶問合手段，変更削除問合手段及び事前問合手段に相当し、ＬＡＮ通信部１３，ＷＡＮ通信部１５，ＰＣ通信部２３及び操作部３５が、結果受付手段，変更削除問合結果受付手段及び事前問合結果受付手段に相当し、ＬＡＮ通信部１３及びＷＡＮ通信部１５が通信手段に相当し、制御部３９が記憶制御手段及び送信制御手段に相当する。
【００５８】
次に制御部３９が実行する処理について説明する。なお、制御部３９が実行する処理の説明にあたり、本発明に特徴的な処理についてのみ説明し、通常の蓄積機能付き複合機が実行する、蓄積させたデータを出力する処理や、各機能（プリント機能やＦＡＸ送信機能等）の処理については説明を省略する。
【００５９】
（１）入力処理
入力処理について、図３のフローチャートを用いて説明する。入力処理は、複合機１１に対して何らかの入力指令（例えば、操作部３５が操作されて行われるコピー指令や、複合機１１に接続されたパーソナルコンピュータが操作されて行われるプリント指令等）を受け付けた際に実行が開始される。
【００６０】
制御部３９は入力処理の実行を開始するとまず、指令情報を取り込む（Ｓ１０５）。ここでいう「指令情報」というのは、機能を特定する情報や機能を実行させる上で必要な付帯的な情報である。
【００６１】
ここで、「指令情報」を利用者が入力する際に用いる画面についていくつかの実例を用いて説明する。
図７は、複合機１１に接続されたパーソナルコンピュータのモニタに表示される印刷指令画面の一例である。画面１０１は、印刷モード（解像度やカラー／モノクロ）の指定や、出力先（プリント有無や、データベース登録有無や、登録前の確認有無や、登録した際の公開範囲）の指定を行うことができるようになっている。なお、プリント有無の指定（チェックボックス１０２のオン／オフ）とデータベース登録有無の指定（チェックボックス１０３のオン／オフ）は、それぞれ独立して指定することができるが、登録前の確認有無の指定（チェックボックス１０４のオン／オフ）と、登録した際の公開範囲の指定（ドロップダウンリスト１０５の選択）は、データベース登録有無を有り（チェックボックス１０３をオン）に指定した場合のみ、指定が可能となっている。そして、ＯＫコマンドボタン１０６が押下されると、画面１０１で選択された情報が複合機１１に送信されるようになっている。
【００６２】
図８は、複合機１１に接続されたパーソナルコンピュータのモニタに表示されるＰＣ−ＦＡＸ送信指令画面の一例である。画面１１１は、相手先の電話番号の指定や、送信モード（解像度やカラー／モノクロ）の指定や、出力先（ＦＡＸ送信有無や、データベース登録有無や、登録前の確認有無や、登録した際の公開範囲）の指定を行うことができるようになっている。なお、ＦＡＸ送信有無の指定（チェックボックス１１２のオン／オフ）とデータベース登録有無の指定（チェックボックス１１３のオン／オフ）は、それぞれ独立して指定することができるが、登録前の確認有無の指定（チェックボックス１１４のオン／オフ）と、登録した際の公開範囲の指定（ドロップダウンリスト１１５の選択）は、データベース登録有無を有り（チェックボックス１１３をオン）に指定した場合のみ、指定が可能となっている。そして、ＯＫコマンドボタン１１６が押下されると、画面１１１で選択された情報が複合機１１に送信されるようになっている。
【００６３】
図９は、複合機１１に接続されたパーソナルコンピュータのモニタに表示されるスキャナ指令画面の一例である。画面１２１は、読取モード（解像度やカラー／モノクロ）の指定や、出力先（ファイル出力有無や、出力ファイル名や、データベース登録有無や、登録前の確認有無や、登録した際の公開範囲）の指定を行うことができるようになっている。なお、ファイル出力有無の指定（チェックボックス１２２のオン／オフ）とデータベース登録有無の指定（チェックボックス１２４のオン／オフ）は、それぞれ独立して指定することができる。しかし、出力ファイル名の指定（テキストボックス１２３）は、ファイル出力有無の指定を有り（チェックボックス１２２をオン）に指定した場合のみ指定することができるようになっている。また、登録前の確認有無の指定（チェックボックス１２５のオン／オフ）と、登録した際の公開範囲の指定（ドロップダウンリスト１２６の選択）も、データベース登録有無を有り（チェックボックス１２４をオン）に指定した場合のみ、指定が可能となっている。そして、ＯＫコマンドボタン１２７が押下されると、画面１２１で選択、入力された情報が複合機１１に送信されるようになっている。
【００６４】
図７、図８、図９を用いて３つの実例を示したが、この３つ以外の何れの機能を実行させる際においても、データベース（データ記憶部３１のコンテンツテーブル及びデータテーブル）への登録有無の選択と共に、登録前に出力結果を確認するか否かを選択できるようになっている。また、複合機１１に接続されたパーソナルコンピュータから指令を行う場合に限らず、複合機１１の操作部３５を操作して指令を行う場合も同様に選択できるようになっている。
【００６５】
図３のフローチャートに説明を戻し、続くＳ１１０では、指令に対応する機能（例えばプリント処理やＦＡＸ送信処理）を実行し、さらに、その際に入力したデータ（例えばプリントデータやＦＡＸ送信データ等）をテンポラリバッファに保存する。このテンポラリバッファというのは、制御部３９が有する一時記憶領域である。
【００６６】
続いて、データベースへの登録を行うデータベース登録処理を呼び出して実行する（Ｓ１１５）。そして、データベース登録処理の実行が完了すると入力処理の実行を終える。
（２）データベース登録処理
次に、制御部３９が実行するデータベース登録処理について、図４のフローチャートを用いて説明する。データベース登録処理は上述した入力処理の中で呼び出されて実行される。
【００６７】
制御部３９はデータベース登録処理を開始すると、まず、テンポラリバッファに保存されているデータについてデータベース登録指定が有るか否かによって処理を分岐する（Ｓ６０５）。登録指定が有る場合にはＳ６０８に進み、登録指定がない場合にはＳ６４０に進む。
【００６８】
Ｓ６０８では、テンポラリバッファに保存されているデータについて、登録前の確認指定があるか否かによって処理を分岐する。登録前に確認する旨の指定がある場合にはＳ６１０に進み、登録前に確認する旨の指定がない場合にはＳ６１５に進む。
【００６９】
Ｓ６１０では、データベースに登録を行うか否かの問い合わせを行う画面を出力する。この画面の一例を図１０の画面１３１（ＦＡＸ送信した画像を登録するか否かを問い合わせる画面）を用いて説明する。画面１３１は、主に、表示部位表示エリア１３２、イメージエリア１３３、表示変更コマンドボタン群１３４、倍率変更コマンドボタン１３５、登録コマンドボタン１３６、破棄コマンドボタン１３７及び保留コマンドボタン１３８を備える。
【００７０】
表示部位表示エリア１３２は、イメージエリア１３３に表示させる画像の部位を示すエリアであり、表示部位表示エリア１３２中の指定エリア１３２ａで囲まれた部分がイメージエリア１３３に画像として表示される。
【００７１】
イメージエリア１３３は、画像が表示されるエリアであり、表示部位表示エリア１３２中の指定エリア１３２ａで囲まれた部分の画像が拡大表示される。
表示変更コマンドボタン群１３４は、イメージエリア１３３に表示させる画像の部位を変更するコマンドボタン、イメージエリア１３３に表示させる画像の部位の大きさを変更するコマンドボタン、イメージエリア１３３に表示させる画像の部位を回転させるコマンドボタン等から構成されるコマンドボタン群である。この表示変更コマンドボタン群１３４を利用者が操作することにより、表示部位表示エリア１３２の指定エリア１３２ａが変化すると共に、イメージエリア１３３に表示される画像が変化する。
【００７２】
倍率変更コマンドボタン１３５は、当該コマンドボタンを利用者が押下することにより、表示倍率が変更され、イメージエリア１３３に表示される画像の倍率も変更される。なお、その変更された倍率に応じて倍率変更コマンドボタン１３５のキャプションも変化する（図１０では「等倍」となっている）。また、表示倍率の候補は、等倍、１ｘ２（１．４倍）、２ｘ２（２倍）、２ｘ４（２．８倍）、３ｘ３（３倍）、２ｘ１（縦２倍）があり、倍率変更コマンドボタン１３５が押下される毎に順に変わっていき、これらの何れかが選択されるようになっている。
登録コマンドボタン１３６は、押下されると、表示画像をデータベースに登録するように動作するコマンドボタンである。
【００７３】
破棄コマンドボタン１３７は、押下されると、表示画像をデータベースに登録せずに破棄するように動作するコマンドボタンである。
保留コマンドボタン１３８は、押下されると、表示画像をデータベースに保留登録するように動作するコマンドボタンである。
【００７４】
なお、画面１３１は、ＦＡＸ送信の場合であったためイメージエリア１３３にＦＡＸ画像を表示させるようになっていたが、プリント処理やコピー処理の場合のように、印刷結果を直接確認することができる場合には、イメージエリア１３３に画像を表示させる必要がなく、表示部位表示エリア１３２、イメージエリア１３３、表示変更コマンドボタン群１３４及び倍率変更コマンドボタン１３５をなくして画面を構成するようになっていてもよい。
【００７５】
図４のフローチャートに説明を戻し、続くＳ６１２では、データベースへ登録を行うか否かを問い合わせる画面においてなされた操作の種類によって処理を分岐する。データベースへの登録または保留を意味する操作がなされた場合にはＳ６１３に進み、データの破棄を意味する操作がなされた場合にはＳ６４０に進む。
【００７６】
Ｓ６１３では、データベースへ登録を行うか否かを問い合わせる画面においてなされた操作の種類が保留を意味する操作であるか否かによって処理を分岐する。保留を意味する操作がなされた場合にはＳ６１４に進み、保留を意味する操作がなされていない場合にはＳ６１５に進む。
【００７７】
保留を意味する操作がなされた場合に進むＳ６１４では、テンポラリバッファに保存されているデータに関する情報（例えば、日時、データ種別等）を保留リストに追加し、Ｓ６１５に進む。ここで言う保留リストというのは、データ記憶部３１に記憶されているリストの一つである。
【００７８】
Ｓ６１５では、テンポラリバッファに保存されているデータと同一のデータがデータ記憶部３１に既に記憶されているか否かを判断する。この判断方法としてはどのような方法を採ってもよいが、例えばコンテンツテーブルに記憶されている電子透かし情報とテンポラリバッファに保存されているデータの電子透かし情報とを比較することによって判断したり、データテーブルに記憶されているデータとテンポラリバッファに保存されていうるデータとを各種の照合手法によって直接比較することによって判断したりする方法が考えられる。
【００７９】
続いてＳ６２０では、Ｓ６１５の判断結果によって処理を分岐する。テンポラリバッファに保存されている画像データと同一のデータがデータ記憶部３１に記憶されていると判断した場合にはＳ６２５に進み、テンポラリバッファに保存されている画像データと同一のデータがデータ記憶部３１に記憶されていないと判断した場合にはＳ６３５に進む。
【００８０】
テンポラリバッファに保存されている画像データと同一のデータがデータ記憶部３１に記憶されていると判断して進んだＳ６２５では、データ記憶部３１のデータテーブルの該当レコードの参照数５３ｂの値を１つ加算更新する。そして、テンポラリバッファに保存されているデータでコンテンツテーブルに新たなレコードを作成し（Ｓ６３０）、Ｓ６４０に進む。なお、保留を意味する操作がなされていた場合には、コンテンツテーブルのレコードステータス５１ｂに「保留」を意味する情報を記憶させる。
【００８１】
一方、テンポラリバッファに保存されている画像データと同一のデータがデータ記憶部３１に記憶されていないと判断して進んだＳ６３５では、テンポラリバッファに保存されているデータで、コンテンツテーブル及びデータテーブルに新たなレコードを作成し、Ｓ６４０に進む。なお、保留を意味する操作がなされていた場合には、コンテンツテーブルのレコードステータス５１ｂに「保留」を意味する情報を記憶させる。
【００８２】
Ｓ６４０では、テンポラリバッファに保存されているデータを削除し、本処理（データベース登録処理）を終了し、本処理の読み出し元である入力処理に戻る。
（３）保留データ操作処理
保留データ操作処理について、図５のフローチャートを用いて説明する。保留データ操作処理は、複合機１１の操作部３５または複合機１１に接続されたパーソナルコンピュータが操作され、保留データ操作処理の実行を意味する指令がなされた際に実行が開始される。
【００８３】
制御部３９は保留データ操作処理の実行を開始するとまず、保留リストから保留データの一覧画面を生成し、表示部３７または複合機１１に接続されたパーソナルコンピュータのモニタに表示させる（Ｓ７０５）。この保留データの一覧画面の一例を図１１の画面１４１を用いて説明する。画面１４１は、主に、グリッド１４２，削除コマンドボタン１４３，確認コマンドボタン１４４及び終了コマンドボタン１４５から構成される。グリッド１４２には、保留データに関する情報（文章番号、日時、文章種別等）が一覧表示され、何れかの保留データが選択可能になっている。削除コマンドボタン１４３は、押下されると、グリッド１４２において選択されている保留データを削除するコマンドボタンである。確認コマンドボタン１４４は、押下されると、グリッド１４２において選択されている保留データ（画像）を利用者に確認させるための確認画面（例えば図１０の画面１３１と同様のもの）を表示させるコマンドボタンである。終了コマンドボタン１４５は、押下されると、画面１４１を消去するコマンドボタンである。
【００８４】
図５のフローチャートに説明を戻し、続くＳ７１０では、保留データの一覧画面において削除を意味する操作がなされたか否か（図１１の削除コマンドボタン１４３が押下されたか否か）によって処理を分岐する。削除を意味する操作がなされた場合にはＳ７１５に進み、削除を意味する操作がなされなかった場合にはＳ７４５に進む。
【００８５】
保留データの一覧画面において削除を意味する操作がなされた場合に進むＳ７１５では、一覧画面において選択されている保留データを保留リストから削除する。そして、その保留データに対応するデータテーブルの該当レコードの参照数５３ｃの値を１減じ（Ｓ７２０）、その値が０になったか否かによって処理を分岐する（Ｓ７２５）。値が０になった場合にはデータテーブルから該当レコードを削除し（Ｓ７３０）、Ｓ７３５に進む。一方、値が０になっていない場合にはそのままＳ７３５に進む。
【００８６】
Ｓ７３５では、一覧画面において選択されている保留データに対応するデータテーブルの該当レコードにおけるレコードステータス５１ｂの情報を「保留」から「削除」を意味する情報に変更する。そして、保留データの一覧画面を更新し、Ｓ７５５に進む。
【００８７】
保留データの一覧画面において削除を意味する操作なされなかった場合に進むＳ７４５では、確認を意味する操作がなされたか否か（図１１の確認コマンドボタン１４４が押下されたか否か）によって処理を分岐する。確認を意味する操作がなされた場合にはＳ７５０に進み、確認を意味する操作がなされなかった場合にはＳ７５５に進む。
【００８８】
保留データの一覧画面において確認を意味する操作がなされた場合に進むＳ７５０では、保留データの一覧画面において選択されている保留データ（画像）を出力し、Ｓ７５５に進む。なお、ここで言う出力というのは、記録部２７に保留データを印刷物として出力させてもよいし、表示部３７または複合機１１に接続されているパーソナルコンピュータのモニタに保留データを画像として表示させてもよい。
【００８９】
Ｓ７５５では、保留データの一覧画面において終了操作がなされたか否か（図１１の終了コマンドボタン１４５が押下されたか否か）によって処理を分岐する。終了操作がなされた場合には本処理（保留データ操作処理）を終了し、終了操作がなされなかった場合にはＳ７１０に処理を戻す。
【００９０】
（４）保留データ自動処理
保留データ自動処理について、図６のフローチャートを用いて説明する。保留データ自動処理は、複合機１１の操作部３５または複合機１１に接続されたパーソナルコンピュータが操作され、保留データ自動処理の実行を意味する指令がなされた際に実行が開始される。または、所定の時間毎（例えば１時間毎）に自動的に実行が開始される。
【００９１】
制御部３９は保留データ自動処理の実行を開始するとまず、データ記憶部３１の保留リストに保留データがあるか否かによって処理を分岐する（Ｓ８０５）。保留リストに保留データがある場合にはＳ８１０に進み、保留リストに保留データがない場合には本処理（保留データ自動処理）を終了する。
【００９２】
保留リストに保留データがある場合に進むＳ８１０では、保留リストから先頭の保留データを読み出し、Ｓ８１５に進む。
Ｓ８１５では、読み出した保留データに基づいてコンテンツテーブルの日時５１を参照し、現在日時とコンテンツテーブルに保存した日時とを比較する。そして、その比較結果により処理を分岐する（Ｓ８２０）。一定期間（例えば３日や１週間）を経過していた場合にはＳ８２５に進み、一定期間を経過していない場合にはＳ８４５に進む。
【００９３】
一定期間を経過していた場合に進むＳ８２５では、読み出した保留データを保留リストから削除し、Ｓ８３０に進む。
Ｓ８３０では、設定記憶部３３の設定情報を参照し、自動で保留データを削除する旨の設定がなされているか否かによって処理を分岐する。自動で保留データを削除する旨の設定がなされている場合にはＳ８３５に進み、自動で保留データを削除する旨の設定がなされていない場合にはＳ８４０に進む。
【００９４】
自動で保留データを削除する旨の設定がなされている場合に進むＳ８３５では、読み出した保留データに対応するコンテンツテーブルの該当レコードにおけるレコードステータス５１ｂの情報を「保留」から「削除」を意味する情報に変更し、Ｓ８４５に進む。
【００９５】
自動で保留データを削除する旨の設定がなされていない場合に進むＳ８４０では、読み出した保留データに対応するコンテンツテーブルの該当レコードにおけるレコードステータス５１ｂの情報を「保留」を意味する情報を削除して通常記憶の状態にし、Ｓ８４５に進む。
【００９６】
Ｓ８４５では、保留リストの中に未処理の保留データがあるか否かによって処理を分岐する。保留リストの中に未処理の保留データがある場合にはＳ８５０に進み、保留リストの中に未処理の保留データがない場合には本処理（保留データ自動処理）を終了する。
【００９７】
保留リストの中に未処理の保留データがある場合に進むＳ８５０では、保留リスト中の次の保留データを読み出し、Ｓ８１５に処理を戻す。
ここまでで複合機１１の構成及び動作を説明したが、複合機１１によれば、利用者が、入力させた情報の出力結果（例えば印刷結果や読取画像等）を確認した後、その情報を複合機１１に記憶させるか否かの判断をしてその指示を出すことができる。このため、従来のように、利用者が望まない状態のものが記憶され、公開可能になってしまうことを防止することができる。また、後から記憶された情報を確認して、削除操作を行う必要もなくなる。
【００９８】
また、複合機１１に記憶させるか否かの判断に迷うときには、保留記憶させることができ、後から、通常通り記憶させるのか、削除するのかを選択することができるため、利用者にとって使い勝手がよい。
【００９９】
また、保留記憶させた情報は、一定期間経過後に自動的に処理（削除または通常記憶に変更）されるようになっているため、保留記憶させたままの情報の存在を利用者が忘れ、長期間、公開されないままの状態となることを防止することができる。
【図面の簡単な説明】
【０１００】
【図１】複合機の概略構成を示すブロック図である。
【図２】コンテンツテーブル、データテーブルのフィールド一覧である。
【図３】入力処理を説明するためのフローチャートである。
【図４】データベース登録処理を説明するためのフローチャートである。
【図５】保留データ操作処理を説明するためのフローチャートである。
【図６】保留データ自動処理を説明するためのフローチャートである。
【図７】印刷時の操作画面の一例である。
【図８】ＰＣ−ＦＡＸ送信時の操作画面の一例である。
【図９】スキャナ機能実行時の操作画面の一例である。
【図１０】データベースへ登録を行うか否かの問い合わせを行う画面の一例である。
【図１１】保留データ一覧画面の一例である。
【符号の説明】
【０１０１】
１１…複合機、１３…ＬＡＮ通信部、１５…ＷＡＮ通信部、１７…ＦＡＸ通信部、１９…ＦＡＸ符号部、２１…ＦＡＸ復号部、２３…ＰＣ通信部、２５…記憶媒体アクセス部、２７…記録部、２９…読取部、３１…データ記憶部、３３…設定記憶部、３５…操作部、３７…表示部、３９…制御部。
【図１】
2006072640.tif 000003
【図２】
2006072640.tif 000004
【図３】
2006072640.tif 000005
【図４】
2006072640.tif 000006
【図５】
2006072640.tif 000007
【図６】
2006072640.tif 000008
【図７】
2006072640.tif 000009
【図８】
2006072640.tif 000010
【図９】
2006072640.tif 000011
【図１０】
2006072640.tif 000012
【図１１】
2006072640.tif 000013